(57)【要約】【課題】感光体ドラムと露光器との距離や像担持体に対する露光器の姿勢を従来よりも簡単に調整できるカラー画像形成装置を提供する。【解決手段】調整軸６２と位置決め軸６６を有する調整治具６０を用いて、調整軸６２の回転中心と位置決め軸６６との距離を非接触変位計で測定しながら、この距離が標準値になるように位置決め軸６６の位置を調整することにより固定体５４ｃ，５６ｃに対する挿入体５４ｂ，５６ｂの位置を調整し、固定体５４ｃ，５６ｃと挿入体５４ｂ，５６ｂとを溶接して固定する。【選択図】      図３
2004264861.tif 000002
【特許請求の範囲】
【請求項１】
各色に対応する感光体ドラムと、
各色に対応する露光器と、
前記感光体ドラム及び前記露光器を取り付けていない状態で、各色ごとに前記感光体ドラムの回転軸に接離する方向に調整され固定される、前記露光器を支持する露光器支持部とを備えたことを特徴とするカラー画像形成装置。
【請求項２】
前記露光器支持部は、各色ごとに前記感光体ドラムの回転軸に対して調整され固定されることを特徴とする請求項１に記載のカラー画像形成装置。
【請求項３】
前記露光器支持部は、調整後に溶接にて固定されることを特徴とする請求項２に記載のカラー画像形成装置。
【請求項４】
前記回転軸に代わる調整軸と、
前記露光器支持部を位置決めする位置決め部であって、前記調整軸と位置決め部との間の距離が、前記回転軸と前記露光器支持部との間の距離の標準値に固定され、あるいは該標準値に調整される位置決め部とを備えたことを特徴とする請求項２に記載のカラー画像形成装置の製造装置。
【請求項５】
各色に対応する感光体ドラムと、各色に対応する露光器と、露光器を支持する露光器支持部とを有するカラー画像形成装置の製造方法において、
各色ごとに、前記露光器支持部を前記感光体ドラムの回転軸に対して調整するステップと、
前記露光器支持部を固定するステップと、
前記感光体ドラム及び前記露光器を取り付けるステップと、
を備えたことを特徴とするカラー画像形成装置の製造方法。
【発明の詳細な説明】
【技術分野】
【０００１】
本発明は、露光器等を用いて像担持体に静電潜像を形成し、この静電潜像を、トナー等の現像剤を用いて現像を行う、例えば電子写真複写機や電子写真プリンタ等のカラー画像形成装置、その製造方法、およびその製造装置に関する。
【背景技術】
【０００２】
近年、カラー画像が得られるカラー複写機が普及している。図４にカラー複写機の構造例を示す。
【０００３】
この図４に示すカラー複写機１には４色（黒Ｋ，イエローＹ，マジェンタＭ，シアンＣ）の各トナーを用いた現像を行なう４台の単色の画像形成装置（エンジン）１０Ｋ，１０Ｙ，１０Ｍ，１０Ｃが組み込まれている。各エンジン１０Ｋ，１０Ｙ，１０Ｍ，１０Ｃには、それぞれ、矢印Ａ方向に回転する、像担持体としての各感光体ドラム１１Ｋ，１１Ｙ，１１Ｍ，１１Ｃが備えられており、各感光体ドラム１１Ｋ，１１Ｙ，１１Ｍ，１１Ｃでは、各帯電器１２Ｋ，１２Ｙ，１２Ｍ，１２Ｃで一次帯電がなされ、各露光器１３Ｋ，１３Ｙ，１３Ｍ，１３Ｃから射出された、画像情報を担持する露光光１４Ｋ，１４Ｙ，１４Ｍ，１４Ｃにより静電潜像が形成され、それらの静電潜像が各現像器１５Ｋ，１５Ｙ，１５Ｍ，１５Ｃにより現像され、これにより、各感光体ドラム１１Ｋ，１１Ｙ，１１Ｍ，１１Ｃに各現像像が形成される。
【０００４】
一方、このカラー複写機１には４台のエンジン１０Ｋ，１０Ｙ，１０Ｍ，１０Ｃに沿って矢印Ｂ方向に回転する転写ベルト２０が備えられており、搬送手段３０により搬送されてきた用紙３１は、用紙吸着用コロトロン２１および用紙吸着用ロール２２により転写ベルト２０に吸着され、転写ベルト２０の回転に伴って矢印Ｂ方向に搬送される。この転写ベルト２０は、一例としてＰＥＴ（ポリエチレンテレフタレート）の透明体で構成されている。上述の各エンジン１０Ｋ，１０Ｙ，１０Ｍ，１０Ｃにおける像形成は、用紙３１の搬送と同期して行なわれ、各現像器１５Ｋ，１５Ｙ，１５Ｍ，１５Ｃにより各感光体ドラム１１Ｋ，１１Ｙ，１１Ｍ，１１Ｃ上に形成された現像像には、各転写前コロトロン１６Ｋ，１６Ｙ，１６Ｍ，１６Ｃにより各現像像に転写に適した電荷が与えられ、転写コロトロン２３Ｋ，２３Ｙ，２３Ｍ，２３Ｃにより、それらの各現像像が用紙３１上に互いに重畳されるようにして転写される。その後その用紙３１は、剥離コロトロン２３の作用により転写ベルト２０から剥離されて矢印Ｃ方向に搬送され図示しない定着器により定着が行われ、これにより、その用紙３１上にカラー画像が形成される。
【０００５】
用紙剥離後の転写ベルト２０は、転写ベルト除電用コロトロン２４により除電され、転写ベルトクリーナ２５に備えられたファーブラシ２５ａとブレード２５ｂによりその表面がクリーニングされ、その後吸着用コロトロン２１および吸着用ロール２２により、次の用紙の静電吸着が行われる。
【０００６】
一方、各エンジン１０Ｋ，１０Ｙ，１０Ｍ，１０Ｃでは、現像像の転写後、クリーニング前処理コロトロン１７Ｋ，１７Ｙ，１７Ｍ，１７Ｃにより前処理が行われた後、感光体クリーナ１８Ｋ，１８Ｙ，１８Ｍ，１８Ｃによりその表面がクリーニングされ、図示しない除電ランプにより除電が行われ、帯電器１２Ｋ，１２Ｙ，１２Ｍ，１２Ｃにより、次の像形成のための一次帯電が行われる。
【０００７】
上記したようなカラー複写機１では、各露光器１３Ｋ，１３Ｙ，１３Ｍ，１３Ｃと各感光体ドラム１１Ｋ，１１Ｙ，１１Ｍ，１１Ｃとの距離を全て等しくしておかないと、各感光体ドラム１１Ｋ，１１Ｙ，１１Ｍ，１１Ｃに形成される静電潜像の大きさが各感光体ドラム１１Ｋ，１１Ｙ，１１Ｍ，１１Ｃごとに異なり、被転写材に重ねるべき現像像の色がずれるという、いわゆる「色ずれ」が生じ、画質に悪影響を及ぼす。この「色ずれ」の原因は大別して２種類ある。その１つは、各露光器１３Ｋ，１３Ｙ，１３Ｍ，１３Ｃと各感光体ドラム１１Ｋ，１１Ｙ，１１Ｍ，１１Ｃとが互いに平行になった状態で、各露光器１３Ｋ，１３Ｙ，１３Ｍ，１３Ｃと各感光体ドラム１１Ｋ，１１Ｙ，１１Ｍ，１１Ｃとの距離がそれぞれ異なることにある。他の１つは、各露光器１３Ｋ，１３Ｙ，１３Ｍ，１３Ｃと各感光体ドラム１１Ｋ，１１Ｙ，１１Ｍ，１１Ｃとが互いに平行になっておらず、各露光器１３Ｋ，１３Ｙ，１３Ｍ，１３Ｃと各感光体ドラム１１Ｋ，１１Ｙ，１１Ｍ，１１Ｃとの距離がその両端部において互いに異なり、「色ずれ」の、より大きな原因となっている。
【０００８】
そこで、露光器を画像形成装置に組み込み、この組み込んだ露光器を作動させながらその位置を調整し、「色ずれ」を機械的に低減する技術が知られている（例えば、特許文献１参照。）。しかし、この技術では、調整作業に多大な工数がかかり製造コストが高くなるという問題がある。また、露光器を交換する際は、再び、露光器の位置調整が必要であるという問題もある。さらに、例えば工場で露光器の位置調整をした後、顧客に納入するまでの間に、振動や衝撃により調整量が変化するおそれがあり、信頼性が悪いという問題もある。
【０００９】
また、「色ずれ」を機械的に低減する他の技術として、露光器や感光体ドラム等の複数の部品にそれぞれ位置調整機構を取り付けてそれらを調整し、これにより「色ずれ」を低減する技術が知られている（例えば、特許文献２、３、４、５参照。）。しかし、この技術では、調整作業に多大な工数がかかり製造コストが高くなるという問題がある。また、複数の部品１つ１つに位置調整機構を取り付けるので製造コストが高くなるという問題もある。さらに、上記の従来技術と同様に、露光器を交換する際の問題や、振動や衝撃により調整量が変化するという問題もある。
【特許文献１】特開平３−１１７３号公報
【特許文献２】実開昭６２−１９３２４０号公報
【特許文献３】特開平２−２６４９７９号公報
【特許文献４】特開平３−１７７８６１号公報
【特許文献５】特開平３−２０８００９号公報
【発明の開示】
【発明が解決しようとする課題】
【００１０】
本発明は、上記事情に鑑み、基準組立時に、像担持体と露光器との距離や像担持体に対する露光器の姿勢を従来よりも簡単に調整でき、調整後この調整量が変化することを防止したカラー画像形成装置、その製造方法、およびその製造装置を提供することを目的とする。
【課題を解決するための手段】
【００１１】
上記目的を達成するための本発明のカラー画像形成装置は、
各色に対応する感光体ドラムと、
各色に対応する露光器と、
前記感光体ドラム及び前記露光器を取り付けていない状態で、各色ごとに前記感光体ドラムの回転軸に接離する方向に調整され固定される、前記露光器を支持する露光器支持部とを備えたことを特徴とする。
【００１２】
ここで前記露光器支持部は、各色ごとに前記感光体ドラムの回転軸に対して調整され固定されるものであってもよい。
【００１３】
また、前記露光器支持部は、調整後に溶接にて固定されるものであってもよい。
【００１４】
また、上記目的を達成するための本発明のカラー画像形成装置の製造装置は、
前記回転軸に代わる調整軸と、
前記露光器支持部を位置決めする位置決め部であって、前記調整軸と位置決め部との間の距離が、前記回転軸と前記露光器支持部との間の距離の標準値に固定され、あるいは該標準値に調整される位置決め部とを備えたことを特徴とする。
【００１５】
また、上記目的を達成する本発明のカラー画像形成装置の製造方法は、各色に対応する感光体ドラムと、各色に対応する露光器と、露光器を支持する露光器支持部とを有するカラー画像形成装置の製造方法において、
各色ごとに、前記露光器支持部を前記感光体ドラムの回転軸に対して調整するステップと、
前記露光器支持部を固定するステップと、
前記感光体ドラム及び前記露光器を取り付けるステッブと、
を備えたことを特徴とする。
【発明の効果】
【００１６】
本発明のカラー画像形成装置によれば、感光体ドラム及び露光器を取り付けていない状態で、各色ごとに感光体ドラムの回転軸に接離する方向に調整され固定される、露光器を支持する露光器支持部を備えている。従って、感光体ドラムと露光器との距離や感光体ドラムに対する露光器の姿勢を従来よりも簡単に調整できる。また、露光器支持部には感光体ドラムの回転軸に固定されるため、振動や衝撃により露光器支持部の位置が変化することが防止される。
【００１７】
また、本発明のカラー画像形成装置の製造装置および製造方法によれば、感光体ドラム及び露光器を取り付ける前に、露光器支持部を感光体ドラムの回転軸に対して調整して固定することにより、振動や衝撃により露光器支持部の固定位置が変化することが防止される。さらに、露光器を取り替えても、新たな調整を行うことなしに、取り替えられた露光器と感光体ドラムとの距離を標準値に設定できる。
【００１８】
以上説明したように、本発明によれば、感光体ドラムと露光器との距離や感光体ドラムに対する露光器の姿勢を従来よりも簡単に調整できる。
【発明を実施するための最良の形態】
【００１９】
以下、図面を参照して本発明の画像形成装置の一実施例を説明する。
【００２０】
図１は、本発明の画像形成装置の一実施例を示すカラー複写機の模式図であり、感光体ドラムと露光器を用紙の搬送方向から示したものである。このカラー複写機の概略の構成は図４に示すカラー複写機と同様であり、図４に示す複写機の構成要素と同一の構成要素には、図４に付した番号と同一の番号を付して示し、相違点のみについて説明する。また、ここでは、感光体ドラム１１Ｋと露光器１３Ｋを例にして説明するが、感光体ドラム１１Ｙ，１１Ｍ，１１Ｃと露光器１３Ｙ，１３Ｍ，１３Ｃについても同様の構造である。
【００２１】
図１に示すカラー複写機１では、用紙３１（図４参照）が転写ベルト２１に吸着された状態で搬送される搬送路（図１では、図１の紙面に垂直な方向に搬送路が延びている）を挟む側板４２，４４が、装置本体フレーム（図示せず）に固定されている。側板４２には、位置決めピン４６によって位置決めされた側板４８が固定されている。また、側板４２，４４にはそれぞれ対応する位置に、感光体ドラム１１Ｋの回転軸１１Ｋａを軸支する軸受５０，５２が形成されている。側板４４，４８には、支持部材５４，５６のフランジ部５４ａ，５６ａが複数のボルト５８により固定されている。支持部材５４，５８のフランジ部５４ａ，５６ａには、それぞれ、挿入体５４ｂ，５６ｂが回転軸１１Ｋａに接離する方向に挿入される挿入孔が形成された固定体５４ｃ，５６ｃが固定されている。挿入体５４ｂ，５６ｂと固定体５４ｃ，５６ｃは、図２に示すように、支持部材５４，５８それぞれに２つずつ設けられている。また、挿入体５４ｂ，５６ｂは、固定体５４ｃ，５６ｃの、挿入孔を形成する側壁の一部と、挿入体５４ｂ，５６ｂの、固定体５４ｃ，５６ｃに挿入された部分の側壁の一部とが溶接されることにより固定体５４ｃ，５６ｃに固定されている。この溶接のために、上記した挿入孔を形成する側壁には孔が形成されており、この孔の一部または全部を塞ぐように溶接が行われる。挿入体５４ｂ，５６ｂが固定された位置は、挿入体５４ｂ，５６ｂに支持された露光器１３Ｋと感光体ドラム１１Ｋとが許容誤差範囲内で所定距離離れて互いに平行を保っている位置であり、これにより、露光器１３Ｋと感光体ドラム１１Ｋとの距離や、感光体ドラム１１Ｋに対する露光器１３Ｋの姿勢を従来よりも簡単に調整できる。尚、露光器１３Ｋの支持は、図２に示すように、例えば挿入体５６ｂに載置された露光器１３Ｋのボルト孔５９ａを通して、挿入体５６ｂに形成されたねじ孔５７ｂにボルト５９をねじ込むことにより行われる。
【００２２】
挿入体５４ｂ，５６ｂの固定位置は、露光器１３Ｙ，１３Ｍ，１３Ｃ（図４参照）についても同様であり、これにより、カラー複写機１では、感光体ドラム１１Ｋ，１１Ｙ，１１Ｍ，１１Ｃと露光器１３Ｋ，１３Ｙ，１３Ｍ，１３Ｃとが標準値だけ離れて互いに平行を保つこととなり、上述した「色ずれ」が防止される。また、挿入体５４ｂ，５６ｂは固定体５４ｃ，５６ｃに溶接により固定されているので、振動や衝撃により挿入体の固定位置が変化することが防止される。さらに、露光器１３Ｋを取り替えても、新たな調整を行うこと無しに、取り替えられた露光器と像担持体１１Ｋとの距離を標準値に設定できる。
【００２３】
次に、図３を参照して、挿入体５４ｂ，５６ｂを固定する位置を調整して、感光体ドラム１１Ｋと露光器１３Ｋとの距離を調整する方法を説明する。図１に示す構成要素と同一の構成要素には、図１に付した符号を同一の符号を付して示す。
【００２４】
感光体ドラム１１Ｋと露光器１３Ｋとの距離の調整は、調整治具６０を用いて行う点に特徴がある。調整治具６０は、回転軸１１Ｋａ（図１参照）に代わる、両端がテーパー状の伸縮自在な調整軸６２と、露光器１３Ｋの、挿入体５４ｂ，５６ｂに支持されてなる部分に代わる位置決め軸６６を有する位置決め体６４とを備えている。位置決め軸６６は、挿入体５４ｂ，５６ｂ挿入方向と同じ方向に移動する。また、調整治具６０には、調整軸６２の回転中心と軸６６との距離を測定する非接触変位計（図示せず）が備えられている。
【００２５】
上記の調整治具６０を用いて、感光体ドラム１１Ｋと露光器１３Ｋとの距離を調整するに当たっては、先ず、調整軸６２を伸ばし軸受５０，５２の内輪にテーパー状の両端を押しつけて調整軸６２の両端を軸受５２の位置に配置すると共に、位置決め軸６６を支持部材５４，５６の位置に配置する。位置決め軸６６を支持部材５４，５６の位置に配置した後、調整軸６２の回転中心と位置決め軸６６との距離を非接触変位計で測定しながら、この距離が標準値になるように位置決め軸６６の位置を調整することにより固定体５４ｃ，５６ｃに対する挿入体５４ｂ，５６ｂの位置を調整し、調整後に挿入体５４ｂ，５６ｂを位置決め軸６６に押し当てて、磁力により挿入体５４ｂ，５６ｂを位置決め軸６６に保持させる。この保持させた状態で、挿入体５４ｂ，５６ｂと固定体５４ｃ，５６ｃとを接着剤により仮止めする。調整治具６０を取り外し、固定体５４ｃ，５６ｃの、挿入孔を形成する側壁の一部と、挿入体５４ｂ，５６ｂの、固定体５４ｃ，５６ｃに挿入された部分の側壁の一部とを溶接して固定する。これにより、感光体ドラム１１Ｋと露光器１３Ｋとの距離が標準値に設定される。
【００２６】
上記実施例では、４つの感光体ドラムと４つの露光器を備えた画像形成装置について説明したが、本発明は、１つの感光体ドラムと１つの露光器を備えた画像形成装置にも適用でき、感光体ドラムと露光器との距離や感光体ドラムに対する露光器の姿勢を従来よりも簡単に調整できる。
【図面の簡単な説明】
【００２７】
【図１】本発明の画像形成装置の一実施例を示すカラー複写機の像担持体と露光器の模式図である。
【図２】露光器を挿入体に支持する方法を模式的に示す斜視図である。
【図３】挿入体を固定する位置を調整して、感光体ドラムと露光器との距離を調整する方法を説明する模式図である。
【図４】カラー複写機の構造例を示す模式図である。
【符号の説明】
【００２８】
１  カラー複写機
１１Ｋ  感光体ドラム
１１Ｋａ  回転軸
１３Ｋ  露光器
３１  用紙
４２，４４  側板
５０，５２  軸受
５４，５６  支持部材
５４ｂ，５６ｂ  挿入体
５４ｃ，５６ｃ  固定体
６０  調整治具
６２  調整軸
６６  位置決め軸
【図１】
2004264861.tif 000003
【図２】
2004264861.tif 000004
【図３】
2004264861.tif 000005
【図４】
2004264861.tif 000006